(57)【要約】【課題】  リードを介してペットに伝わる衝撃が分散され、リードを操ったときにペットの締め付けられる割合を軽減しペットの負担を抑えることができるリード付きペットウェアを提供することにある。【解決手段】  ペットに着用させる衣服で、リードを装着する装着部材を少なくとも３個有するウェア本体と、紐状で下端が少なくとも３方に分かれたリードとを備え、リードの各下端が、ウェア本体の各装着部材に連結されていることを特徴とする。【選択図】図１
2009089607.tif 000002
【特許請求の範囲】
【請求項１】
リードが取り付けられた犬等のペットのリード付きペットウェアにおいて、
該ペットに着用させる衣服で、該リードを装着する装着部材を少なくとも３個有するウェア本体と、
紐状で下端が少なくとも３方に分かれたリードとを備え、
該リードの各下端が、該ウェア本体の各装着部材に連結されていることを特徴とするリード付きペットウェア。
【請求項２】
前記ウェア本体が、前記ペットの胴体に巻き付ける形状であることを特徴とする請求項１記載のリード付きペットウェア。
【請求項３】
前記ウェア本体の装着部材の１つが、前記ペットの背骨の上に位置することを特徴とする請求項１又は請求項２記載のリード付きペットウェア。
【請求項４】
前記ウェア本体の装着部材が、前記ウェア本体上を移動自在であることを特徴とする請求項１〜請求項３のいずれかに記載のリード付きペットウェア。
【発明の詳細な説明】
【技術分野】
【０００１】
本発明は、犬等のペットに着用させるリード付きペットウェアに関する。
【背景技術】
【０００２】
従来より、犬等のペットに着用させるペットウェアが数多く提案されている。例えば、非特許文献１に示されるようなリードが取り付けられたリード付きペットウェアもある。リード付きペットウェアは、ウェア本体が、ペットの胴回りを覆い、ウェア本体の背部にリングが設けられ、リードの下端に設けられたフックをこのリングに係止する構造となっている。
【非特許文献１】Michele、“Designer Dog Clothes”、［online］、Doggie Design, Inc.、［平成１９年９月２７日検索］、インターネット〈URL：http://www.doggiedesign.com/〉
【発明の開示】
【発明が解決しようとする課題】
【０００３】
しかしながら、従来のリード付きペットウェアでは、リードが一箇所で固定されていることから、飼い主がリードを引くとウェア本体のリードとの連結部分のみが強く引かれ、ペットが受ける衝撃が一箇所に集中しやすく、ペットの負担が大きい。
【０００４】
本発明は、このような事情に鑑みてなされたもので、リードを介してペットに伝わる衝撃が分散され、リードを操ったときにペットの締め付けられる割合を軽減しペットの負担を抑えることができるリード付きペットウェアを提供することにある。
【課題を解決するための手段】
【０００５】
請求項１記載のリード付きペットウェアは、ペットに着用させる衣服で、リードを装着する装着部材を少なくとも３個有するウェア本体と、紐状で下端が少なくとも３方に分かれたリードとを備え、リードの各下端が、ウェア本体の各装着部材に連結されていることを特徴とする。
【０００６】
請求項２記載のリード付きペットウェアは、ウェア本体が、ペットの胴体に巻き付ける形状であることを特徴とする。
【０００７】
請求項３記載のリード付きペットウェアは、ウェア本体の装着部材の１つが、ペットの背骨の上に位置することを特徴とする。
【０００８】
請求項４記載のリード付きペットウェアは、ウェア本体の装着部材が、ウェア本体上を移動自在であることを特徴とする。
【発明の効果】
【０００９】
請求項１の発明によれば、リードがウェア本体の少なくとも３箇所で連結されていることから、リードを介してペットに伝わる衝撃が分散され、リードを操ったときにペットの締め付けられる割合を軽減しペットの負担を抑えることができる。
【００１０】
請求項２の発明によれば、ウェア本体がペットの胴体に巻き付ける形状であることから、首や胴体の一部にのみ衝撃が加わることがなく、リードが３箇所以上で連結されていることと相まって、リードを操ったときにペットの締め付けられる割合を軽減しペットの負担を抑えることができる。
【００１１】
請求項３の発明によれば、ウェア本体の装着部材の１つがペットの背骨の上に位置することから、リードとウェア本体とを３箇所以上で連結し衝撃を分散しつつ、背骨の上に位置する連結でリードの力をペットの体に確実に伝えることができる。
【００１２】
請求項４の発明によれば、ウェア本体の装着部材がウェア本体上を移動自在であることから、リードをペットの動きに対して柔軟に操ることができる。
【発明を実施するための最良の形態】
【００１３】
以下、本発明の形態について図面を参照しながら具体的に説明する。図１は、本発明のリード付きペットウェアの装着の一例を示す斜視図である。図２は、同リード付きペットウェアの装着を示す平面図である。図３は、同リード付きペットウェアを示す平面図である。図において、リード付きペットウェア１は、リードが取り付けられた犬等のペットｐの衣服である。
【００１４】
リード付きペットウェア１は、ウェア本体１０とリード３０とから構成されている。ウェア本体１０は、図３に示すように、略エ字状の布で、上方の左右に伸びる部分がペットｐの首に巻き付けられる首周り部１２で、下方の左右に伸びる部分がペットｐの胴体に巻き付けられる胴回り部１６である。首周り部１２及び胴回り部１６のそれぞれの先端には、ベルベットファスナ１４ａ，１４ｂが設けられ、図１及び図２に示すように、ペットｐの首及び胴体に巻き付けられ、このベルベットファスナ１４ａ，１４ｂで固定される。
【００１５】
また、図３に示すように、ウェア本体１０の中央部の上下方向には、細幅の布であるバイアス布２０が縫いつけられており、そのバイアス布２０の上寄りの部分にリング２０ａが取り付けられている。また、バイアス布２０の中央付近から左右下方に向かって別のバイアス布２２，２４がそれぞれ縫いつけられている。そして、そのバイアス布２２，２４の略中間部分にもリング２２ａ，２４ａが取り付けられている。
【００１６】
リード３０は、紐状で、１本のリード本体３２の下端から連結部３２ａを介して３本の紐状の装着部３４，３６，３８が下方に伸びている。すなわち、リード３０は、紐状で下端が３方に分かれている。また、装着部３４，３６，３８のそれぞれの下端には、リング２０ａ，２２ａ，２４ａに連結可能なフック３４ａ，３６ａ，３８ａが取り付けられている。
【００１７】
ペットｐにウェア本体１０を着用させたとき、リード３０の各装着部３４，３６，３８のフックフック３４ａ，３６ａ，３８ａを、ウェア本体１０のリング２０ａ，２２ａ，２４ａに連結させる。すなわち、リング２０ａ，２２ａ，２４ａがリード３０を装着する装着部材である。ペットｐを散歩させる場合には、飼い主はリード３０の上端の輪部３２ｂを持ってペットｐを歩かせることになる。
【００１８】
このような構造のリード付きペットウェア１によれば、リード３０がウェア本体１０の少なくとも３箇所で連結されていることから、リード３０を介してペットｐに伝わる衝撃が分散され、リードを操ったときにペットｐの締め付けられる割合を軽減しペットｐの負担を抑えることができる。また、ウェア本体１０がペットｐの胴体に巻き付ける形状であることから、首や胴体の一部にのみ衝撃が加わることがなく、リード３０が３箇所以上で連結されていることと相まって、リード３０を操ったときにペットｐの締め付けられる割合を軽減しペットの負担を抑えることができる。
【００１９】
尚、本実施の形態のウェア本体１０は、略エ字状の布を用いたが、布を筒状にしてペットｐの首や手足が抜けるようにしてもよく、その形状により制限されるものではない。尚、装着部材であるバイアス布２０，２２，２４及びリング２０ａ，２２ａ，２４ａの位置も限られるものではない。しかしながら、装着部材の１つ位置は、ペットｐにウェア本体１０を着用させたときに、ペットｐの背骨の上になるような位置に設けることが望ましい。装着部材をペットｐの背骨の上になるような位置に設け、リード３０の下端の１本を連結することで、リード３０とウェア本体１０とを３箇所以上で連結し衝撃を分散しつつ、背骨の上に位置する連結でリード３０の力をペットｐの体に確実に伝えることができる。
【００２０】
また、本実施の形態のリード付きペットウェア１では、リード３０の装着部３４，３６，３８を３本とし、装着部材であるリング２０ａ，２２ａ，２４ａを３つとしたが、３つに限られるものではなく、少なくとも３つであればよい。さらに、装着部材であるリング２０ａ，２２ａ，２４ａの位置をバイアス布２０，２２，２４で固定にしているが、リング２０ａ，２２ａ，２４ａの位置が自由に移動するような構造とすることもできる。装着部材を移動自在にすることで、リード３０をペットｐの動きに対して柔軟に操ることができる。尚、すべての装着部材が移動自在である必要はなく、移動自在なものと固定なものを用意することも可能であり、またどの部分を固定にするかも任意である。
【００２１】
さらに、リード３０の装着部３４，３６，３８を３本のままで、装着部材であるリング２０ａ，２２ａ，２４ａの数を４個以上にすることも可能である。この場合、所望の位置のリング２０ａ，２２ａ，２４ａにリード３０の装着部３４，３６，３８を連結すればよく、装着部材を移動自在にしたのと同様な効果を得ることができる。尚、本実施の形態では、リング２０ａ，２２ａ，２４ａにフック３４ａ，３６ａ，３８ａで連結し着脱自在に記載しているが、着脱自在に限られるものではない。
【産業上の利用可能性】
【００２２】
以上のように、本発明によれば、リードを介してペットに伝わる衝撃が分散され、リードを操ったときにペットの締め付けられる割合を軽減しペットの負担を抑えることができるリード付きペットウェアを提供することができる。
【図面の簡単な説明】
【００２３】
【図１】本発明のリード付きペットウェアの装着の一例を示す斜視図である。
【図２】同リード付きペットウェアの装着を示す平面図である。
【図３】同リード付きペットウェアを示す平面図である。
【符号の説明】
【００２４】
１・・・・・リード付きペットウェア
１０・・・・ウェア本体
１２・・・・首周り部
１４ａ・・・ベルベットファスナ
１４ｂ・・・ベルベットファスナ
１６・・・・胴周り部
２０・・・・バイアス布
２０ａ・・・リング
２２・・・・バイアス布
２２ａ・・・リング
２４・・・・バイアス布
２４ａ・・・リング
３０・・・・リード
３２・・・・リード本体
３２ａ・・・連結部
３２ｂ・・・輪部
３４・・・・装着部
３４ａ・・・フック
３６・・・・装着部
３６ａ・・・フック
３８・・・・装着部
３８ａ・・・フック
【図１】
2009089607.tif 000003
【図２】
2009089607.tif 000004
【図３】
2009089607.tif 000005